(57)【要約】【課題】トレイの取り出しを容易にしつつ、電子機器の小型化および薄型化を図る。【解決手段】ＩＭＥＩトレイ（１）は、内部ホルダ（６）に収納されたＩＭＥＩトレイ（１）を内部ホルダ（６）の開口部から飛び出させる方向に弾性力を働かせるための弾性部（４）を備え、トレイ保持構造は、ＩＭＥＩトレイ（１）が内部ホルダ（６）に収納された状態で、内部ホルダ（６）の開口部側に位置するＩＭＥＩトレイ（１）の爪引っ掛け部（２）を、上記弾性力に対抗して押圧する防水キャップ（８）を備える。【選択図】図３
2019016240.tif 000002
【特許請求の範囲】
【請求項１】
電子機器に設けられるホルダと、上記ホルダに収納されるトレイとを備え、上記トレイが上記ホルダに収納されて保持されるトレイ保持構造であって、
上記トレイは、上記ホルダに収納された上記トレイを上記ホルダの開口部から飛び出させる方向に弾性力を働かせるための弾性部を備え、
上記トレイ保持構造は、上記トレイが上記ホルダに収納された状態で、上記ホルダの開口部側に位置する上記トレイの端部を、上記弾性力に対抗して押圧する押え蓋を備えることを特徴とするトレイ保持構造。
【請求項２】
上記弾性部は、上記トレイの上記端部に対向する他端に設けられていることを特徴とする請求項１に記載のトレイ保持構造。
【請求項３】
上記弾性部は、上記トレイの上記端部と、上記端部に対向する他端との間に設けられていることを特徴とする請求項１に記載のトレイ保持構造。
【請求項４】
上記ホルダに、弾性変形した上記弾性部が、上記ホルダと接触しないための凹部または穴部が形成されていることを特徴とする請求項１から３までの何れか１項に記載のトレイ保持構造。
【請求項５】
上記弾性部がＮ字構造を含んでいることを特徴とする請求項１から４までの何れか１項に記載のトレイ保持構造。
【請求項６】
上記弾性部がＳ字構造を含んでいることを特徴とする請求項１から４までの何れか１項に記載のトレイ保持構造。
【請求項７】
請求項１から６までの何れか１項に記載のトレイ保持構造を備えることを特徴とする電子機器。
【発明の詳細な説明】
【技術分野】
【０００１】
本発明は、トレイが電子機器に設けられたホルダに収納されて保持されるトレイ保持構造、および該トレイ保持構造を備えた電子機器に関する。
【背景技術】
【０００２】
従来、携帯端末にはＩＭＥＩ（International Mobile Equipment Identity：国際移動体装置識別番号）と呼ばれる端末固有の識別番号が割り振られている。ＩＭＥＩは、通常は１５ケタの数字からなり、メーカー番号、機種番号およびシリアル番号などから構成されている。
【０００３】
また、ＩＭＥＩは端末の識別にのみ用いられ、利用者の識別にはＳＩＭ（Subscriber Identity Module：加入者識別ユニット）カードに格納されたＩＭＳＩ（International Mobile Subscriber Identity：国際移動体加入者識別番号）が用いられている。
【０００４】
これらの識別番号は、通話もしくは通信を行う際に通信事業者に通知され、携帯端末の位置情報の把握、個別認証などに利用されており、「どこでも電話を掛けられる」という携帯端末ならではの機能を実現するために活用されている。
【０００５】
上記のように、これらの識別番号は携帯端末および利用者の識別に用いられるため、セキュリティの関係上、端末の表面などわかりやすい部分に表示することはできない。このため、ＩＭＥＩトレイは、携帯端末の内部に格納され、ＩＭＥＩが直接見られないようにされる。
【０００６】
一方、識別番号を確認する際は、ＩＭＥＩトレイを携帯端末から取り出さなくてはならないため、ＩＭＥＩトレイの取り出し口付近は、携帯端末本体から取り出しやすい構造をしていることが求められる。
【０００７】
特許文献１には、ＳＩＭカードの取り出しを容易に且つ確実に行うことができ、電子機器の防水を完全に図ることができる、カードトレイを有するカードコネクタが開示されている。
【先行技術文献】
【特許文献】
【０００８】
【特許文献１】特開２０１４−１３５１４８号公報（２０１４年７月２４日公開）
【発明の概要】
【発明が解決しようとする課題】
【０００９】
しかしながら、現在では、携帯端末のさらなる小型化および薄型化が求められるため、上述の従来技術では下記のような問題点がある。例えば、特許文献１に開示された技術では、指先でＩＭＥＩトレイを引き出すことができる大きさの開口部が必要となる。そのため、従前と同じ大きさの開口部を用いると、携帯端末の小型化および薄型化に伴い相対的に開口部の大きさが大きくなってしまい、開口部周辺の端末外装の強度の低下および意匠性の低下の要因となる。それに対し、携帯端末の大きさに合わせて開口部を小さくすると、ＩＭＥＩトレイを指先で取り出すことが困難になるという問題点が生じる。
【００１０】
本発明の一様態は、上記の問題点に鑑みてなされたものであり、その目的は、トレイの取り出しを容易にしつつ、電子機器の小型化および薄型化を図ることができるトレイ保持構造などを実現することにある。
【課題を解決するための手段】
【００１１】
上記の課題を解決するために、本発明の一態様に係るトレイ保持構造は、電子機器に設けられるホルダと、上記ホルダに収納されるトレイとを備え、上記トレイが上記ホルダに収納されて保持されるトレイ保持構造であって、上記トレイは、上記ホルダに収納された上記トレイを上記ホルダの開口部から飛び出させる方向に弾性力を働かせるための弾性部を備え、上記トレイ保持構造は、上記トレイが上記ホルダに収納された状態で、上記ホルダの開口部側に位置する上記トレイの端部を、上記弾性力に対抗して押圧する押え蓋を備えることを特徴としている。
【発明の効果】
【００１２】
本発明の一態様に係るトレイ保持構造によれば、トレイの取り出しを容易にしつつ、電子機器の小型化および薄型化を図ることができるという効果を奏する。
【図面の簡単な説明】
【００１３】
【図１】本発明の実施の一形態に係るＩＭＥＩトレイの構造を示す図である。
【図２】（ａ）は、内部ホルダにＩＭＥＩトレイを収納した状態における携帯端末の基板の表示面側の構造を示す図であり、（ｂ）は、内部ホルダにＩＭＥＩトレイを収納した状態における基板の背面側の構造を示す図である。
【図３】（ａ）は、内部ホルダにＩＭＥＩトレイを収納し、防水キャップを内部ホルダの開口部に取付けた状態を示す断面図であり、（ｂ）は、内部ホルダの奥側付近の構造を示す図である。
【図４】（ａ）は、ＩＭＥＩトレイの爪引っ掛け部に指先の爪を引っ掛けてＩＭＥＩトレイを内部ホルダから引き出すときの様子を示す断面図であり、（ｂ）は、内部ホルダの奥側付近の構造を示す図である。
【図５】（ａ）〜（ｋ）は、それぞれＩＭＥＩトレイの弾性部の形状のバリエーションを示す図である。
【図６】（ａ）〜（ｋ）は、弾性部をＩＭＥＩトレイの中央付近に設けた場合におけるＩＭＥＩトレイの弾性部の形状のバリエーションを示す図である。
【図７】（ａ）は、図１に示すＩＭＥＩトレイを内部ホルダに収納したときの状態を示す図であり、（ｂ）は、ＩＭＥＩトレイの弾性部の形状の変形例を示す図であり、（ｃ）は、（ｂ）に示す弾性部の部分拡大図である。
【図８】（ａ）は、図７の（ｂ）に示す弾性部の形状の変形例を示す図であり、（ｂ）は、弾性部の形状の別の変形例を示す図である。
【発明を実施するための形態】
【００１４】
本発明の実施の形態について図１〜図８に基づいて説明すれば、次の通りである。以下、説明の便宜上、ある項目にて説明した構成と同一の機能を有する構成については、他の項目においても同一の符号を付記し、その説明を省略する場合がある。
【００１５】
〔ＩＭＥＩトレイ〕
以下の説明では、本発明の実施の一形態に係るトレイの一態様として、ＩＭＥＩを表示する機能を有するＩＭＥＩトレイを例にとって説明する。しかしながら、本発明を適用可能なトレイは、ＩＭＥＩトレイに限定されず、ＳＩＭカードを保持する機能を有するＳＩＭトレイなどを例示することができる。なお、本明細書において、「トレイ」とは、ＳＩＭトレイなどのように薄型のカードを保持するものであっても良いし、ＩＭＥＩトレイのように、薄型のカードは保持せず、単に情報を表示するだけのものを含む概念である。
【００１６】
まず、図１を参照して、本発明の一実施形態に係るＩＭＥＩトレイ（トレイ）１の構造について説明する。図１は、ＩＭＥＩトレイ１の構造を示す図である。同図に示すように、ＩＭＥＩトレイ１は、長さ方向の一端に爪引っ掛け部（端部）２、他端に弾性部４が設けられている。また、ＩＭＥＩトレイ１の一端と他端の間にはＩＭＥＩ表示部３が設けられている。
【００１７】
本実施形態では、弾性部４は、ＩＭＥＩトレイ１の爪引っ掛け部２に対向する他端に設けられている。これにより、ＩＭＥＩトレイ１の端に弾性部４が設けられていない形態と比較して、ＩＭＥＩトレイ１の幅を広くとる（またはトレイの最大面積を有する面の面積を大きくする）ことができる。
【００１８】
また、本実施形態では、弾性部４が、略三角形状の切欠き部が２つ形成されたＮ字構造を含んでいる。これにより、Ｎ字構造の斜めの直線部が変形し易く、簡単な構造で弾性部４の弾性変形を容易にすることができる。
【００１９】
ＩＭＥＩトレイ１は、後述する内部ホルダ６に収納することが可能になっている。すなわち、ＩＭＥＩトレイ１は、内部ホルダ６に収納されて保持される。ＩＭＥＩトレイ１の全体形状は、略長方形状を為している。爪引っ掛け部２には、指先の爪を引っ掛けるための略楕円形の孔が形成されており、この孔に指先の爪を引っ掛けることで、内部ホルダ６からＩＭＥＩトレイ１を引き出すことが可能になっている。
【００２０】
ＩＭＥＩトレイ１の長さ方向の一端から他端までの長さは、後述する内部ホルダ６におけるトレイ収納用のスペースより少し長い〔図２の（ａ）参照〕。このため、ＩＭＥＩトレイ１を内部ホルダ６に収納した場合、爪引っ掛け部２の一部は、内部ホルダ６の開口部からはみ出す。
【００２１】
ＩＭＥＩ表示部３はＩＭＥＩを記載し、ＩＭＥＩを掘り込み、またはＩＭＥＩ記載したシールの貼り付けなどができるよう略長方形状の凹部を備えている。ＩＭＥＩトレイ１を内部ホルダ６から引き出した際、上記凹部は、ＩＭＥＩを確認しやすくなるよう携帯端末（電子機器）の表示面側を向いている。
【００２２】
弾性部４は、弾性変形により、内部ホルダ６に収納されたＩＭＥＩトレイ１を内部ホルダ６の開口部から飛び出させる方向に弾性力が働く構造となっている。ＩＭＥＩトレイ１の開口部側に位置するＩＭＥＩトレイ１の爪引っ掛け部２を、上記弾性力に対抗して押圧することによりＮ字構造の斜めの直線部が変形する。また、弾性部４はＮ字構造の略平行な直線部同士が互いに近づくように変形し、２つの切り欠部の大きさが小さくなるように変形する。押圧がかからなくなった際に弾性部４は元の形状に戻る必要があるため、弾性体で構成されていることが望ましい。そのため、ＩＭＥＩトレイ１は弾性体で構成されていてもよく、弾性部４以外の部分に非弾性体を用いてもよい。
【００２３】
〔トレイ保持構造〕
次に、図２および図３に基づき、本発明の実施の一形態に係るトレイ保持構造について説明する。図２の（ａ）は、内部ホルダ６にＩＭＥＩトレイ１を収納した状態における携帯端末の基板の表示面側の構造を示す図である。また、図２の（ｂ）は、内部ホルダ６にＩＭＥＩトレイ１を収納した状態における基板の背面側の構造を示す図である。
【００２４】
図２の（ａ）に示すように、ＩＭＥＩトレイ１は内部ホルダ６にＩＭＥＩを視認しやすくなるようＩＭＥＩ表示部３を表示面方向に向けて収納されている。そして、トレイガイドシート（ホルダ）５は、ＩＭＥＩトレイ１が内部ホルダ６から脱落しないように、ＩＭＥＩトレイ１を内部ホルダ６と挟み込むよう取り付けられている。
【００２５】
また、図２の（ｂ）に示すように、内部ホルダ６の背面側には、後述する防水キャップ（抑え蓋）８の押圧によるＩＭＥＩトレイ１の歪みを逃がすため（吸収するため）のトレイ歪み避け穴（凹部または穴部）７が設けられている。
【００２６】
次に、図３の（ａ）は、内部ホルダ６にＩＭＥＩトレイ１を収納し、防水キャップ８を内部ホルダ６の開口部に取付けた状態を示す断面図である。また、図３の（ｂ）は、内部ホルダ６にＩＭＥＩトレイ１を収納した状態における内部ホルダ６の奥側付近の構造を示す図である。
【００２７】
本実施形態のトレイ保持構造は、携帯端末に設けられる内部ホルダ６と、内部ホルダ６に収納されるＩＭＥＩトレイ１とを備える。また、ＩＭＥＩトレイ１は、内部ホルダ６に収納されたＩＭＥＩトレイ１を内部ホルダ６の開口部から飛び出させる方向に弾性力を働かせるための弾性部４を備える。また、本実施形態のトレイ保持構造は、ＩＭＥＩトレイ１が内部ホルダ６に収納された状態で、内部ホルダ６の開口部側に位置するＩＭＥＩトレイ１の爪引っ掛け部２を、上記弾性力に対抗して押圧する防水キャップ８を備える。
【００２８】
図３の（ａ）に示すようにＩＭＥＩトレイ１は、湾曲した状態で内部ホルダ６に収納される。これにより、内部ホルダ６の開口部に防水キャップ８を取り付ける際、防水キャップ８と開口部の内壁との間に爪引っ掛け部２が挟み込まれることを防止することができる。加えて、ＩＭＥＩトレイ１を湾曲した状態で内部ホルダ６に収納することにより直線状に（湾曲させずに）取り付けるよりも摩擦抵抗が減るためスムーズなトレイの飛び出しが期待できる。
【００２９】
上述したように、防水キャップ８は、ＩＭＥＩトレイ１が内部ホルダ６に収納された状態で、内部ホルダ６の開口部側に位置するＩＭＥＩトレイ１の爪引っ掛け部２を、弾性部４の弾性力に対抗して押圧する。爪引っ掛け部２の開口部側は、防水キャップ８の押し当て部９により押圧される。そうすると、図３の（ｂ）に示すように弾性部４がホルダ壁面１０と接触し、ＩＭＥＩトレイ１が爪引っ掛け部２側から弾性部４側へ押し込まれる力とホルダ壁面１０からの反発力により弾性部４が弾性変形する。その結果、ＩＭＥＩトレイ１は長さ方向に圧縮され、内部ホルダ６のトレイ収納用のスペースに収まる。そのため、防水キャップ８は防水機能を有するとともに、ＩＭＥＩトレイ１の開口部からの飛び出しを阻止するストッパーの役割を果たしている。
【００３０】
上記構成によれば、ＩＭＥＩトレイ１の爪引っ掛け部２に対する防水キャップ８の押圧により弾性部４が弾性変形し、防水キャップ８が内部ホルダ６の開口部から取り外された場合に、弾性部４の弾性変形が解消されるようになっている。このため、防水キャップ８が内部ホルダ６の開口部から取り外された場合、内部ホルダ６の開口部からＩＭＥＩトレイ１の爪引っ掛け部２が飛び出し、ＩＭＥＩトレイ１の取り出しが容易となる。また、弾性部４をトレイ自身に設け、防水キャップ８で弾性部４の弾性力に対抗し、内部ホルダ６の開口部からのトレイの飛び出しを阻止する簡単な構造であるため、電子機器の小型化および薄型化に伴い内部ホルダ６の開口部の大きさを小さくしてもＩＭＥＩトレイ１の取り出しが容易となる。このため、ＩＭＥＩトレイ１の取り出しを容易にしつつ、電子機器の小型化および薄型化を図ることができる。
【００３１】
次に、図４の（ａ）は、ＩＭＥＩトレイ１の爪引っ掛け部２に指先の爪を引っ掛けてＩＭＥＩトレイ１を内部ホルダから引き出すときの様子を示す断面図である。図２の（ｂ）は、内部ホルダ６の奥側付近の構造を示す図である。
【００３２】
防水キャップ８を内部ホルダ６の開口部から取り外すことにより弾性部４へ加えられていた爪引っ掛け部２方向から弾性部４方向への力がかからなくなり、反発力も発生しなくなる。そのため、弾性部４の変形が解消されＩＭＥＩトレイ１の長さ方向の長さが元にもどることにより、爪引っ掛け部２が内部ホルダ６の開口部の方へ飛び出す。その結果、ＩＭＥＩトレイ１を取り出す際、爪引っ掛け部２に指先の爪が届き易くなるため開口部を小さくでき、ロック機構などの余分な構造物がないため、電子機器の小型化および薄型化を図ることができる。
【００３３】
〔弾性部の形状のバリエーション〕
次に、図５の（ａ）〜（ｋ）は、それぞれＩＭＥＩトレイ１の弾性部４の形状のバリエーションを示す図である。図５の（ａ）〜（ｅ）は、少なくとも１つの切欠き部を設けた弾性部４の形状のバリエーションを示している。図５の（ａ）は、上述した略三角形状の２つの切欠き部が形成されたＮ字構造を含む弾性部４の構造を示している。
【００３４】
図５の（ｂ）は、図５の（ａ）に示す弾性部４と比較して切欠き部の数を減少させた形態である。図５の（ｃ）は、図５の（ａ）に示す弾性部４と比較して切欠き部の数を増加させた形態である。図５の（ｄ）に示す形態は、切り欠部の形状の変形例であり、図５の（ｅ）に示す形態は、切り欠部の形状の別の変形例である。以上のように、切り欠の形状を適宜変更することにより、弾性変形しにくいもの、弾性部４が圧縮されやすくＩＭＥＩトレイ１の長さ方向の長さを長くできるものなど、個々のトレイの事情に合わせた弾性部４を形成することができる。
【００３５】
図５の（ｆ）に示す形態は、弾性部４が略四角環形状の構造を有し、内部ホルダ６の奥側に１つの突起を設けられた形態である。図５の（ｇ）に示す形態は、弾性部４がＨ字構造を有し、Ｈの字の辺の両サイドに２つの突起が設けられた形態である。
【００３６】
次に、図５の（ｈ）および（ｉ）に示す形態は、内部ホルダ６の開口部の対向面（内部ホルダ６の奥側のホルダ壁面）に突起を設けた形態である。図５の（ｈ）に示す形態では、略四角形環の辺の中央に突起が当接している。一方、図５の（ｉ）に示す形態では、Ｈの字の辺の両サイドに突起が当接している。
【００３７】
また、図５の（ｊ）および（ｋ）に示す形態は、弾性部４が蛇腹折りの構造を含む形態であり、弾性部４が圧縮されやすい構造をしている。図５の（ｋ）は、図５の（ｊ）に示す形態の断面図である。
【００３８】
次に、図６の（ａ）〜（ｋ）は、弾性部４をＩＭＥＩトレイ１の中央付近に備えた場合におけるＩＭＥＩトレイ１の弾性部４の形状のバリエーションを示す図である。これらの形態に示すように、弾性部４は、ＩＭＥＩトレイ１の爪引っ掛け部２と、爪引っ掛け部２に対向する他端との間に設けられていても良い。これにより、ＩＭＥＩトレイ１の端に弾性部４を設けた形態と比較して、弾性部４の弾性変形量の調整を行い易くすることができる。このため、内部ホルダ６の開口部から防水キャップ８を取り外したときのトレイの飛び出し量を容易にコントロールすることができる。
【００３９】
図６の（ａ）〜（ｄ）に示す例では、弾性部４は内部ホルダ６の側面に形成された突起部とのみで接している。そのため、これらの弾性部４は、図５に示す弾性部４と比較して、局所的に大きな力がかかるため塑性変形しやすい。
【００４０】
図６の（ｅ）〜（ｇ）は、内部ホルダ６の側面に形成した突起部に弾性部材（斜線で示す部分）を取付けた形態を示している。図６の（ｇ）に示す形態では、内部ホルダ６には表示面側および背面側からＩＭＥＩトレイ１を挟み込むよう突起部を設け、当該突起部と弾性部４との接触箇所に弾性部材（斜線で示す部分）が設けられている。
【００４１】
図６の（ｈ）および（ｉ）に示す形態では、内部ホルダ６の側面に形成された突起部と蛇腹折り構造を含む弾性部４が接している。図６の（ｉ）は、図６の（ｈ）に示す形態の断面図である。
【００４２】
図６の（ｊ）および（ｋ）に示す形態は、ＩＭＥＩトレイ１の中央部に孔を空け片持ちバネ形状の弾性構造を設けた形態である。図６の（ｋ）は、図６の（ｊ）に示す形態の断面図である。
【００４３】
次に、図７の（ａ）は、図１に示すＩＭＥＩトレイ１を内部ホルダ６に収納したときの状態を示す図である。図７の（ｂ）は、ＩＭＥＩトレイ１の弾性部４の形状の変形例を示す図である。
【００４４】
図７の（ａ）に示す形態では、圧縮しているＮ字部分が時間放置により塑性変形してしまう可能性がある。このため、図７の（ｂ）に示すように、圧縮時に、出来る限り均等に歪むようにＮ字の斜めの直線部を、略平行の直線部と比較して相対的に細くすることが好ましい。
【００４５】
図７の（ｃ）は、図７の（ｂ）に示す弾性部４の部分拡大図である。同図に示す長さＢ：幅Ａは、８：１程度であり、長さＣ：幅Ａは、７：１程度である。これらの比率が大きいと、トレイの反発力が抑えられ、トレイ自体が塑性変形しにくくなる。
【００４６】
次に、図８（ａ）は、図７の（ｂ）に示す弾性部４の形状の変形例を示す図である。図８の（ｂ）は、弾性部４の形状の別の変形例を示す図である。図８（ａ）に示す弾性部４がＮ字構造を有する形態では、斜めの直線部のみ急激に変形するため、歪み量が大きく、高さ方向で相手物と干渉し、塑性変形しやすい。図８の（ｂ）に示すように、弾性部４がＳ字構造を含んでいても良い。これにより、Ｓ字を構成する互い違いの２つのカーブのそれぞれが変形するため、１箇所に掛かる歪み量を分散させることができ、高さ方向の変形量を抑制することができる。
【００４７】
〔まとめ〕
本発明の態様１に係るトレイ保持構造は、電子機器に設けられるホルダ（内部ホルダ６）と、上記ホルダに収納されるトレイ（ＩＭＥＩトレイ１）とを備え、上記トレイが上記ホルダに収納されて保持されるトレイ保持構造であって、上記トレイは、上記ホルダに収納された上記トレイを上記ホルダの開口部から飛び出させる方向に弾性力を働かせるための弾性部（４）を備え、上記トレイ保持構造は、上記トレイが上記ホルダに収納された状態で、上記ホルダの開口部側に位置する上記トレイの端部（爪引っ掛け部２）を、上記弾性力に対抗して押圧する押え蓋（防水キャップ８）を備える構成である。
【００４８】
上記構成によれば、トレイの端部に対する押え蓋の押圧により弾性部が弾性変形し、押え蓋がホルダの開口部から取り外された場合に、上記弾性変形が解消されるようになっている。このため、押え蓋がホルダの開口部から取り外された場合、ホルダの開口部からトレイが飛び出し、トレイの取り出しが容易となる。また、弾性部をトレイ自身に設け、押え蓋で弾性部の弾性力に対向し、ホルダの開口部からのトレイの飛び出しを阻止する簡単な構造であるため、電子機器の小型化および薄型化に伴いホルダの開口部の大きさを小さくしてもトレイの取り出しが容易となる。このため、トレイの取り出しを容易にしつつ、電子機器の小型化および薄型化を図ることができる。
【００４９】
本発明の態様２に係るトレイ保持構造は、上記態様１において、上記弾性部は、上記トレイの上記端部に対向する他端に設けられていても良い。上記構成によれば、トレイの端に弾性部が設けられていない形態と比較して、トレイの幅を広くとることができる。
【００５０】
本発明の態様３に係るトレイ保持構造は、上記態様１において、上記弾性部は、上記トレイの上記端部と、上記端部に対向する他端との間に設けられていても良い。上記構成によれば、トレイの端に弾性部を設けた形態と比較して、弾性部の弾性変形量の調整を行い易くすることができる。このため、ホルダの開口部から押え蓋を取り外したときのトレイの飛び出し量を容易にコントロールすることができる。
【００５１】
本発明の態様４に係るトレイ保持構造は、上記態様１〜３の何れかにおいて、上記ホルダに、弾性変形した上記弾性部が、上記ホルダと接触しないための凹部または穴部が形成されていても良い。上記構成によれば、押え蓋の押圧によるトレイの歪みを凹部または穴部により逃がすことができる。
【００５２】
本発明の態様５に係るトレイ保持構造は、上記態様１〜４の何れかにおいて、上記弾性部がＮ字構造を含んでいても良い。上記構成によれば、Ｎ字構造の斜めの直線部が変形し易く、簡単な構造で弾性部の弾性変形を容易にすることができる。
【００５３】
本発明の態様６に係るトレイ保持構造は、上記態様１〜４の何れかにおいて、上記弾性部がＳ字構造を含んでいても良い。上記構成によれば、Ｓ字を構成する互い違いの２つのカーブのそれぞれが変形するため、１箇所に掛かる歪み量を分散させることができる。
【００５４】
本発明の態様７に係る電子機器は、上記態様１〜６の何れかのトレイ保持構造を備えることが好ましい。上記構成によれば、トレイの取り出しを容易にしつつ、小型化および薄型化を図ることができる電子機器を提供することができる。
【００５５】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５６】
１    ＩＭＥＩトレイ（トレイ）
２    爪引っ掛け部（端部）
４    弾性部
５    トレイガイドシート（ホルダ）
６    内部ホルダ（ホルダ）
７    トレイ歪み避け穴（凹部または穴部）
８    防水キャップ（押え蓋）
【図１】
2019016240.tif 000003
【図２】
2019016240.tif 000004
【図３】
2019016240.tif 000005
【図４】
2019016240.tif 000006
【図５】
2019016240.tif 000007
【図６】
2019016240.tif 000008
【図７】
2019016240.tif 000009
【図８】
2019016240.tif 000010